(57)【要約】【課題】一対の給電レール間に並列に接続して列設した複数の発光モジュールを、単一の点灯装置によって点灯させる際に、輝度むらを低減する。【解決手段】一方の端部に給電端子３ａを備えた給電レール２ａと、他方の端部に給電端子３ｂを備えた給電レール２ｂとの間に、発光モジュールＡ１〜Ａｎを列設して電気的に並列に接続し、点灯装置５から給電線４ａ、４ｂを介して駆動電圧を給電する。これにより、発光モジュールＡ１〜Ａｎの電路長さはすべて等しくなり、印加電圧が同じになって同じ輝度で発光する。【選択図】図１
2009152009.tif 000002
【特許請求の範囲】
【請求項１】
点灯装置から給電点を介して駆動電圧が給電される一対の給電レールと、前記一対の給電レールに並列に接続して列設され、前記一対の給電レールを介して前記駆動電圧が給電される複数の発光モジュールと、を具備した照明器具であって、
前記一対の給電レールの給電点が、互いに対称の位置に配置された照明器具。
【請求項２】
請求項１に記載の照明器具であって、
前記発光モジュールは、
面状の発光モジュールである照明器具。
【請求項３】
請求項１又は２に記載の照明器具であって、
前記発光モジュールは、
有機エレクトロルミネッセンス発光モジュールである照明器具。
【発明の詳細な説明】
【技術分野】
【０００１】
本発明は、一対の給電レールの間に複数の発光モジュールを列設して構成される照明器具に関する。
【背景技術】
【０００２】
一般に、自発光型の有機エレクトロルミネッセンス素子は、ＥＬ（エレクトロルミネセンス）現象を利用しているので、発熱がほとんどなく、かつ軽量、薄型であり、駆動電圧が低くて省電力であるなど、種々の利点を有している。
【０００３】
近年、この有機エレクトロルミネッセンス素子を光源として、室内など広い空間を照明する有機エレクトロルミネッセンス照明器具が要望されている。広い空間を照明するために、有機エレクトロルミネッセンス素子自体のサイズをそのまま大型化すると、有機エレクトロルミネッセンス素子を構成する有機発光層の膜厚を均一に形成することが困難になると共に、電極材料の抵抗による電圧降下等によって、発光むら（輝度むら）が発生し易いなどの不具合を生じる。
【０００４】
従来、単一の有機エレクトロルミネッセンス素子を１つの面発光モジュールとし、この面発光モジュールを多数列設し、受電端子すなわちモジュール端子を並列に接続して電圧を給電することにより、広い空間を照明する照明器具が提案されている（例えば、特許文献１参照）。
【０００５】
図５は、有機エレクトロルミネッセンス素子を光源として用いる照明器具の例を示す平面図である。同図において、照明器具６は、一対のレール７ａ、７ｂが給電点８ａ、８ｂを介して点灯装置９に接続され、複数の発光モジュールＢ１〜Ｂｎが一対のレール７ａ、７ｂの間に列設されて、モジュール端子２５ａ、２５ｂを介して給電される構成である。
【０００６】
【特許文献１】特開２００４−６９７７４号公報
【発明の開示】
【発明が解決しようとする課題】
【０００７】
しかしながら、上記従来の照明器具６では、複数の発光モジュールＢ１〜Ｂｎが給電レール５１ａ、５２ａに対して並列に接続されているので、点灯装置９から見た電路長さが発光モジュール毎に異なり、このため印加電圧に差異が生じて照明器具６の列設方向に輝度むらが発生する。また、印加電圧に差異が生じることにより、寿命がアンバランスになって保守に手間がかかるという問題がある。
【０００８】
一方、発光モジュールを直列に接続すれば、印加電圧が等しくなるが、点灯装置の出力電圧を発光モジュールの数に比例して高くしなければならず、点灯装置の負担が大きくなってしまう。
また、特に面状発光モジュールを複数配列した場合、発光むらは目立つことになる。さらにまた、面状発光モジュールとして、有機エレクトロルミネッセンス素子を用いた場合、印加電圧にばらつきがあると寿命にばらつきが生じ、早期劣化の原因となっている。
【０００９】
本発明は、前記実情に鑑みてなされたもので、一対の給電レールに並列に接続して列設された複数の発光モジュールを、単一の点灯装置によって点灯する際に、輝度むらを低減することのできる照明器具を提供することを目的とする。
【課題を解決するための手段】
【００１０】
本発明に係る照明器具は、点灯装置から給電点を介して駆動電圧が給電される一対の給電レールと、前記一対の給電レールに並列に接続して列設され、前記一対の給電レールを介して前記駆動電圧が給電される複数の発光モジュールと、を具備した照明器具であって、前記一対の給電レールの給電点が、互いに対称の位置に配置されるものである。
【００１１】
この構成により、点灯装置から給電される駆動電圧の電路長さが全ての発光モジュールで等しくなり、その結果印加電圧が同じとなるので、輝度むらを低減することができるとともに、寿命劣化特性が揃って、保守管理に手間がかからない。望ましくは、給電点が、各給電レールの中央を結ぶ線分の中点に対し点対称の位置にあるようにする。また、各給電レール上の給電点は対称位置にくるようにする。さらにまた１給電点が給電レール端部にある場合、もう1つの給電点は他の給電レールの遠い側の端部に位置するようにする。
【００１２】
また、本発明の一態様として、上記の照明器具において、前記発光モジュールは、面状の発光モジュールであるものも含まれる。
【００１３】
この構成により、単一の点灯装置によって点灯させる面状発光モジュールの輝度むらを低減でき、寿命劣化特性を揃えることが可能となる。特に面状発光モジュールを敷き詰めて大面積の面状発光装置を形成する場合、輝度むらが大きく目立つことになるが、この構成によれば、輝度むらを低減し、高品質の面状発光装置を提供することが可能となる。
【００１４】
更に、本発明の一態様として、上記の照明器具において、前記発光モジュールは、有機エレクトロルミネッセンス発光モジュールであるものも含まれる。
【００１５】
有機エレクトロルミネッセンス発光モジュールは印加電圧のばらつきにより劣化を招き易いが、この構成によれば、単一の点灯装置によって点灯させる面状発光モジュールの輝度むらを低減でき、寿命劣化特性を揃えることが可能となる。
【発明の効果】
【００１６】
本発明によれば、一対の給電レールに並列に接続して列設された複数の発光モジュールを、単一の点灯装置によって点灯する際に、輝度むらを低減することができる照明器具を提供できる。
【発明を実施するための最良の形態】
【００１７】
以下、本発明の実施の形態について、図面を用いて説明する。
【００１８】
図１は、本発明の実施の形態における照明器具の概略構成を示す平面図である。同図に示すように、本実施の形態における照明器具１は、天井又は壁に固定され、導電体からなる一対の給電レール２ａ、２ｂと、給電レール２ａ、２ｂに摺動可能に列設される複数の発光モジュールＡ１〜Ａｎを有する構成である。
【００１９】
給電レール２ａは、一方の端部に給電端子３ａを備え、給電線４ａを介して点灯装置５に接続されている。また、給電レール２ｂは、他方の端部に給電端子３ｂを備え、給電線４ｂを介して点灯装置５に接続されている。
【００２０】
点灯装置５は、交流電源から発光モジュールＡ１〜Ａｎを点灯させるための直流パルス駆動電圧を生成し、給電線４ａ、４ｂを介して給電レール２ａ、２ｂに給電する。
【００２１】
発光モジュールＡ１〜Ａｎは、有機エレクトロルミネッセンス素子を発光体とするそれぞれ同一構成の面状の照明光源である。図２は、発光モジュールＡ１〜Ａｎの概略構成を示す斜視図である。
【００２２】
図２において、発光モジュールＡ１〜Ａｎは、発光素子１０と、発光素子１０の外周を保持する下枠２０と、上ふた３０から構成される。
【００２３】
図３は、発光素子１０の概略構成を示す断面図である。発光素子１０は、ガラス基板１１と、透明電極１２と、有機発光層１３と、金属電極１４と、透明電極１２及び金属電極１３からそれぞれ引き出されるモジュール端子１５ａ、１６ｂを備えて構成される。有機発光層１３を透光性電極１２と金属電極１４で挟むことにより、有機層が形成される。
【００２４】
ガラス基板１１は、有機発光層１３で発生する光に対して透光性を有し、透光性電極１２は、ＩＴＯ（Indium Tin Oxide）蒸着膜から成り、ガラス基板１１と同様に、有機発光層１３で発生する光に対して透光性を有する。また、金属電極１４は、導電性の薄膜、例えばアルミニウム蒸着膜から成り、透光性を有する。
【００２５】
透光性電極１２はモジュール端子１５ｂに接続されて陽極となり、金属電極１４はモジュール端子１５ａに接続されて陰極となる。モジュール端子１５ａ、１５ｂは、発光モジュールＡ１〜Ａｎの外周上下の対称の位置に設置されて、給電レール２ａ、２ｂにそれぞれ電気的に接触可能となっている。
【００２６】
このように構成される照明器具１は、点灯装置５から給電される駆動電圧が、給電線４ａ、４ｂと給電レール２ａ、２ｂ、及び発光モジュールＡ１〜Ａｎのモジュール端子１５ａ，１５ｂを介して各発光素子１０に印加され、有機発光層１３を発光させる。
【００２７】
次に、このように構成された本発明の実施の形態における照明器具の作用について説明する。図４は、本発明の実施の形態における照明器具の作用を説明するための説明図である。
【００２８】
図４において、給電レール２ａの給電端子３ａと、給電レール２ｂの給電端子３ｂの距離は、Ｌであるとする。また、モジュール端子１５ａが給電端子３ａからＬ１の距離にある任意の位置に発光モジュールＡｍが設置されるものとする。このとき、モジュール端子１５ｂは、給電レール２ｂの給電端子３ｂからＬ２の距離にある。
【００２９】
このとき、点灯装置５から発光モジュールＡｍに供給される電力の電路長さΣＬは、給電線４ａの長さｌａと、給電レール２ａの給電端子３ａから発光モジュールＡｍのモジュール端子１５ａに至る距離Ｌ１と、発光モジュールＡｍのモジュール端子１５ｂから給電レール２ｂの給電端子３ｂに至る距離Ｌ２と、給電線４ｂの長さｌｂの総和となり、次式によって表される。
【００３０】
ΣＬ＝ｌａ＋Ｌ１＋Ｌ２＋ｌｂ
しかるに、Ｌ１＋Ｌ２＝Ｌであり、ΣＬは、
ΣＬ＝ｌａ＋Ｌ＋ｌｂ
となる。
【００３１】
この結果、発光モジュールＡｍの電路長さは、一対の給電レール２ａ、２ｂの給電端子３ａ及び３ｂの距離と、給電線４ａ、４ｂの長さのみに依存し、発光モジュールＡｍの位置には無関係な一定値である。
【００３２】
従って、発光モジュールＡ１〜Ａｎに印加される電圧はすべて等しくなり、その結果、一定の輝度で発光し、輝度むらが低減する。
【００３３】
以上説明したように、このような本発明の実施の形態に係る照明器具によれば、一対の給電レールに有機エレクトロルミネッセンス発光モジュールを並列に接続して列設し、点灯装置から駆動電圧を給電して点灯する際に、給電レールの給電端子を互いに対称の位置に設置することで、すべての有機エレクトロルミネッセンス発光モジュールについて、その電路長さが等しくなり、同じ駆動電圧が印加されて輝度むらを低減させることができる。また、同じ駆動電圧が印加されることで、寿命劣化特性を揃えることが可能となり、保守管理が容易となる。
【産業上の利用可能性】
【００３４】
本発明に係る照明器具は、一対の給電レールに並列に接続して列設された複数の発光モジュールを、単一の点灯装置によって点灯させる際に、輝度むらを低減することができる効果を有し、照明装置や表示装置等に有用である。
【図面の簡単な説明】
【００３５】
【図１】本発明の実施の形態における照明器具の概略構成を示す平面図
【図２】本発明の実施の形態に係る発光モジュールの概略構成を示す斜視図
【図３】本発明の実施の形態に係る照明器具の発光素子の概略構成を示す断面図
【図４】本発明の実施の形態における照明器具の作用を説明するための説明図
【図５】有機エレクトロルミネッセンス素子を光源として用いる従来の照明器具を示す平面図
【符号の説明】
【００３６】
１  照明器具
２ａ、２ｂ  給電レール
３ａ、３ｂ  給電端子
５  点灯装置
１０  有機エレクトロルミネッセンス発光素子
１５ａ、１５ｂ  モジュール端子
Ａ１〜Ａｎ  発光モジュール
【図１】
2009152009.tif 000003
【図２】
2009152009.tif 000004
【図３】
2009152009.tif 000005
【図４】
2009152009.tif 000006
【図５】
2009152009.tif 000007